(57)【要約】【課題】  テレビ放送やラジオ放送で、視聴したいと思う人物やイベントがいつどの番組に登場するかを知るには相当の情報収集が必要である。興味ある人物やイベントが裏番組に登場していても知ることは難しい。そこで受動的な視聴者のために、特に何もすることなく番組を普通に視聴していても、裏番組に視聴したいと思う人物やイベントが登場した場合には「その番組の存在」を通知することが出来るようにする。【解決手段】  人名や地名などのインタレストをキーワードとして登録させておき、いま放送中の番組内で起こっている事柄に関して、マイクロブログや電子掲示板などにほぼリアルタイムで投稿される投稿内容に前記キーワードが関係しているか否かを調べて、関係している場合には、キーワードの登録者に「その番組の存在」を直ちに通知するように構成した。【選択図】図１
2012191594.tif 000002
【特許請求の範囲】
【請求項１】
キーワードの登録部と、現在放送中の番組を話題とするメッセージの受信部と、前記メッセージを受信したらこれを前記キーワードを以て検索する検索部と、検索の結果マッチングを生じた場合にはこのことを視聴者に通知するのであるがこの際に前記メッセージが属する前記番組がある旨の通知を行うことを特徴とする番組通知部と、から成る番組通知装置。
【請求項２】
前記番組通知部は、前記番組がある旨の通知を行う際に併せて前記キーワードをまたはマッチングを生じた前記メッセージを通知するものである、請求項１に記載の番組通知装置。
【請求項３】
更に前記メッセージを投稿するための投稿部または前記メッセージを閲覧するための閲覧部を備えている、請求項１に記載の番組通知装置。
【請求項４】
更にテレビやラジオなどの放送受信装置を遠隔操作するリモコン部を備えると共に、前記番組通知部がタッチパネルディスプレイを備えてここに前記番組がある旨の通知を行う際に、視聴者が前記タッチパネルディスプレイを操作して前記通知を選択することによってリモコン部を動作させ、前記放送受信装置での前記番組の視聴が行えるようにするものである、請求項１に記載の番組通知装置。
【請求項５】
更にテレビやラジオなどの放送受信装置を備え、前記番組通知部は、前記番組がある旨の通知を前記放送受信装置に表示する際に、視聴者が前記通知を選択することによって前記放送受信装置での前記番組の視聴が行えるようにするものである、請求項１に記載の番組通知装置。
【請求項６】
更に視聴者によって前記通知が選択されたことを前記メッセージを送信して来た側に報告する選択報告部を備えている、請求項４または請求項５に記載の番組通知装置。
【請求項７】
前記番組通知部は、前記メッセージの中に将来の放送予定時間を有する番組に係る話題があり且つ前記マッチングを生じた場合には、前記通知を前記放送予定時間が近づくのを待って行うものである、請求項１に記載の番組通知装置。
【請求項８】
クライアントマシンから投稿された現在放送中の番組を話題とするメッセージを管理するマイクロブログや電子掲示板などのようなメッセージサーバであって、クライアントマシンからのキーワードを受信してアカウント毎に登録する登録部と、前記メッセージが投稿されたらこれを前記キーワードを以て検索する検索部と、検索の結果マッチングを生じた場合にはこのことを前記クライアントマシンに送信するのであるがこの際に前記メッセージが属する前記番組がある旨の通知を送信することを特徴とする番組通知部とを備えている、番組通知装置。
【請求項９】
前記メッセージの中に将来の放送予定時間を有する番組に係る話題があり且つ前記マッチングを生じた場合には、前記番組通知部は前記通知を、前記放送予定時間が近づくのを待って行うものである、請求項８に記載の番組通知装置。
【請求項１０】
更に前記メッセージを投稿するための投稿部を備えている、請求項８に記載の番組通知装置。
【請求項１１】
更に前記クライアントマシンから視聴者によって前記通知が選択された旨の報告を受け付けて前記通知に係る前記メッセージの投稿者のアカウントに前記選択の回数を積算して記録する選択回数積算部を備えている、請求項８に記載の番組通知装置。
【請求項１２】
クライアントマシンと、このクライアントマシンから投稿された現在放送中の番組を話題とするメッセージを管理するマイクロブログや電子掲示板などのようなメッセージサーバとから成り、前記メッセージサーバは前記クライアントマシンからのキーワードを受信してアカウント毎に登録する登録部と、前記メッセージが投稿されたらこれを前記キーワードを以て検索する検索部と、検索の結果マッチングを生じた場合にはこのことを前記クライアントマシンに送信するのであるがこの際に前記メッセージが属する前記番組がある旨の通知を送信することを特徴とする番組通知部とを備えており、前記クライアントマシンは前記キーワードを前記メッセージサーバに送信する送信部と、前記メッセージサーバからの前記通知を受信する受信部と、前記通知を表示する通知表示部とを備えている、番組通知システム。
【請求項１３】
前記クライアントマシンは、前記通知を表示する際に、併せて前記キーワードをまたはマッチングを生じた前記メッセージを前記メッセージサーバから受信して表示するものである、請求項１２に記載の番組通知システム。
【請求項１４】
前記クライアントマシンが前記メッセージを投稿するための投稿部または前記メッセージを閲覧するための閲覧部を備えている、請求項１２に記載の番組通知システム。
【請求項１５】
前記クライアントマシンが更にテレビやラジオなどの放送受信装置を遠隔操作するリモコン部を備えており、前記通知表示部は、前記番組がある旨の通知を表示する際に、視聴者が前記リモコン部を操作して前記通知を選択することによって前記放送受信装置での前記番組の視聴が行えるようにするものである、請求項１２に記載の番組通知システム。
【請求項１６】
前記クライアントマシンが更にテレビやラジオなどの放送受信装置を備えており、前記通知表示部は、前記番組がある旨の通知を表示する際に、視聴者が前記通知を選択することによって前記放送受信装置での前記番組の視聴が行えるようにするものである、請求項１２に記載の番組通知システム。
【請求項１７】
更に前記クライアントマシンは、視聴者によって前記通知が選択されたことを前記メッセージサーバに報告する選択報告部を備え、前記メッセージサーバは、前記報告を受け付けて前記通知に係る前記メッセージの投稿者のアカウントに前記選択の回数を積算して記録する選択回数積算部を備えている、請求項１５または請求項１６に記載の番組通知システム。
【請求項１８】
前記メッセージサーバは、前記メッセージの中に将来の放送予定時間を有する番組に係る話題があり且つ前記マッチングを生じた場合には、前記番組通知部が前記通知を前記放送予定時間が近づくのを待って送信するか、または前記通知表示部が前記通知を前記放送予定時間が近づくのを待って表示することを特徴とする、請求項１２に記載の番組通知システム。
【請求項１９】
更に前記メッセージサーバが前記メッセージを投稿するための投稿部を備えている、請求項１２に記載の番組通知システム。
【発明の詳細な説明】
【技術分野】
【０００１】  この発明は、人名などインタレストをキーワードとして登録しておき、マイクロブログや電子掲示板などにいま放送中の番組内で起こっている事柄に関してほぼリアルタイムで投稿される投稿内容に前記キーワードが関係しているか否かを調べて、関係している場合には、キーワードの登録者に「その番組の存在」を直ちに通知する（このチャンネルでやっているよ）と言うことを可能にする、番組通知装置および番組通知システムに関する。
【背景技術】
【０００２】  興味ある人物などが登場する番組は是非とも視聴したいと思うものである。しかしながら番組表を見ていなかったり、見てもそこに人名が記載されていなければ、その人が出演することを知ることは出来ない。番組表のスペース的な制約のある番組欄に登場人物のことが記載されているとは限らない。番組を視聴していてもその人が裏番組に出演していたら分からないで終わってしまう。仮に出演することが分かったとしても、どのタイミングで登場するか分からなければ登場するまでその番組を視聴し続けるしかない。これはただ出演者に限られず、例えば「京都」や「ナツメロ」や「ワールドカップ」や「格安情報」などと言った地名やイベントに付いても言えることである。【０００３】  一方テレビジョン放送では、パーソナルコンピュータにテレビの画面とマイクロブログ（ｍｉｃｒｏｂｌｏｇｇｉｎｇ）や電子掲示板（Ｂｕｌｌｅｔｉｎ  Ｂｏａｒｄ  Ｓｙｓｔｅｍ）などのコミュニケーションサービスの画面とを表示させたり、テレビジョン受像機とスマートフォンとを併用して、スマートフォン側でコミュニケーションサービスに参加すると言うような視聴スタイルが登場して来た。一例として「ピーチク（商標）」と「ツイテレ（商標）」とを上げる。何れもテレビ放送を見ながらその内容に付いて意見を交わし合うためのソーシャルネットワークサービスであり、一般的にはただ今この時間に放送されている番組の中から特定の放送局の番組をハッシュタグを用いることで選択的に投稿し合えるようになっている。
【先行技術文献】
【特許文献】
【０００４】
【特許文献１】特開２０１０−２２４６９９号公報（図１）
【非特許文献】
【０００５】
【非特許文献１】ピーチク  ニッポンのお茶の間“今やってる番組を視聴しながら、つぶやいてみよう”［ｏｎｌｉｎｅ］、［平成２３年２月２６日検索］、インターネット＜ＵＲＬ：ｈｔｔｐ：／／ｗｗｗ．ｐｔｉｃ．ｊｐ／＞
【非特許文献２】ツイテレ  “テレビを観ながらみんなでつぶやこう！バーチャルのお茶の間「ツイテレ」”［ｏｎｌｉｎｅ］、［平成２３年２月２６日検索］、インターネット＜ＵＲＬ：ｈｔｔｐ：／／ｔｗｔｖ．ｊｐ／ｉｎｄｅｘ．ｈｔｍｌ＞
【発明の概要】
【発明が解決しようとする課題】
【０００６】  現在のところ、視聴したいと思う人物やイベントがいつどの番組に登場するかを知るには相当の情報収集が必要である。興味ある人物やイベントが裏番組に登場していても知ることは難しい。【０００７】  確かに上述したようなコミュニケーションサービスを利用して、テレビ放送を見ながらその内容に付いて意見を交わし合うことを、常に複数の番組を対象にして行っていれば、裏番組で起こっている出来事を知ることは可能である。しかしながらこのようなサービスを駆使しながらテレビ放送を見るようなアグレッシブな見方をする視聴者はそれほど多いようには思えない。パーソナルコンピュータとテレビジョン受像機とでは、使ったり見たりする際の距離感や態度が大きく異なるものである。テレビ放送はのんびりと見たいとする視聴者にとってコミュニケーションサービスの利用は苦痛であるかも知れない。このようなことはラジオ放送などでも同様である。【０００８】  従っていままで通りのスタイルが良いと言う受動的な視聴者のために、特に何もすることなく番組を普通に視聴していても、裏番組に視聴したいと思う人物やイベントが登場した場合には「やってるよ！」だけでも通知してくれるものがあれば、その時の気分でその番組にチャンネルを切り替えることが出来るようになる。受動的な視聴者が知りたいのは投稿内容ではなくて登場していることなのである。テレビやラジオを視聴していない場合は「やってるよ！」と教えてもらえることが必要である。そこでこの発明では、少なくとも「今このチャンネルでやっている」と言うことを通知して上げることが出来るようにしたい。
【課題を解決するための手段】
【０００９】  上記課題はキーワードの登録部と、現在放送中の番組を話題とするメッセージの受信部と、前記メッセージを受信したらこれを前記キーワードを以て検索する検索部と、検索の結果マッチングを生じた場合にはこのことを視聴者に通知するのであるがこの際に前記メッセージが属する前記番組がある旨の通知を行うことを特徴とする番組通知部と、から成る番組通知装置とすることにより達成される。これは上記「通知」の受信装置に関するものである。【００１０】  この番組通知装置は、いま放送中の番組内で起こっている事柄に関してほぼリアルタイムに投稿されるマイクロブログや電子掲示板などのコミュニケーションサービスに受信部で接続して続々と投稿されるメッセージを受信し、この中に前記登録部に登録されているキーワードが含まれているか否かを前記検索部にて検索する。例えばキーワードに好みの有名人の名前を登録している場合であって、あるテレビ番組にその人物が登場した場合を考える。そして例えばマイクロブログのサービス内でハッシュタグ（特定のトピックを指定するものであり、放送番組に関しては放送局のチャンネル番号や放送局名などのこと）によりこの番組やチャンネルを指定したメッセージのやり取りが行われており、このスレッドの中で前記人物に係る投稿があった場合は、検索部がこの投稿内容に前記キーワードとしての名前を照らし合わせるとマッチングが発生するため、このことを直ちに番組通知部を以てキーワードの登録者に通知する。この際に通知内容は、前記人物に係る「投稿の記事内容」ではなくて、この投稿が前記番組に係るものであること、すなわち上記「番組の存在」すること（このチャンネルでやっているよ）を通知するのである。あるいは前記ハッシュタグ名やスレッド名を通知するものであると言うことが出来る。なおここではハッシュタグを用いる例を取り上げたが、テレビ番組を専用に扱うマイクロブログなどのサービスで各々のチャンネルに対応させてスレッドを管理するものであれば、投稿にハッシュタグのようなものを含めなくても良い。すなわちマイクロブログなどの仕様に合わせれば良い。【００１１】  一般的な検索サービスでは、例えば特開２０１０−２２４６９９の「検索プログラム、検索サーバおよび検索方法」のように、ＷＷＷから収集したＷＷＷページに付いてインデックスを作成しておき、このインデックスを用いてキーワード検索を行うように設計されている（図１）。この際にインデックスは世界全体をカバーしているが、特定ドメインに属するものだけを検索するようにしたり、日本語で書かれたものだけを検索するようにすることが出来る。その何れの場合も検索結果はリンクの一覧表という形態で提示される。このリンクを選択することでそのＷＷＷページを閲覧することが出来る。閲覧の目的はこのＷＷＷページの内容である。これに対して本願発明では、投稿の内容を閲覧することが目的なのではなく、特開２０１０−２２４６９９で言えばキーワードが含まれているインデックスの部分が「日本語」であることを、すなわち本願発明であれば「どの番組か」を知ってもらうことが目的なのであり、「投稿の記事内容」を通知することが目的ではないのである。【００１２】  従って上記通知���表示は、例えば「ＮＨＫ総合（商標）」や、チャンネル番号の「１」などである。同様の標としては番組名、番組表に載せたその番組の枠内の表示、あるいはその番組のアイコンや、例えば別画面で行うその番組の放送表示、またこれらの重ね表示などと自由に設計して良い。現在視聴中の番組の邪魔をしないような通知方法を選択出来るようにしても良い。なお検索の結果、一つのキーワードに付いて同時に複数個の番組にマッチングが発生したような場合には、上記通知の表示をカスケード表示やタイル表示にしたり、ページが繰れる全画面表示にすれば良い。あるいはランダムに一つの番組だけを選択して表示するように構成することも可能である。また複数個のキーワードの登録がありそれ等に数秒間など所定の時間内に次々とマッチングが発生したような場合に、順位の高いキーワードに係る一つの番組だけを選択して表示するような構成も可能である。【００１３】  そして上記通知を受けた際にテレビやラジオを視聴していない場合には急いでスイッチを入れれば良い。上記通知の番組ではない番組を視聴している場合には急いで上記番組にチャンネル変更して切り替え視聴をすれば良い。【００１４】  この番組通知装置はコミュニケーションサービスに接続可能な、専用の装置として提供したり他の機器例えば腕時計や卓上時計、ヘッドマウントディスプレイ、デジタルフォトスタンド、冷蔵庫に磁着するメモ機器、などと組合わせたものとして提供し得る。あるいは視聴するものがテレビ放送やストリーミングビデオであるならば、この番組通知装置をテレビ、パソコン、テレビのリモコン、テレビを見ながら使用するスマートフォン、ワンセグメント方式テレビを内蔵した携帯型ゲーム機などに組み込むことが出来る。これ等の表示画面にて上記通知を表示するのである。またこの番組通知装置が組み込まれたテレビやパソコンで番組を見る場合では、現在見ている番組に関してはどのチャンネルかを確認して同番組に付いては検索部にキーワード検索を行わせないように設定することが好ましいし、検索を行わせても番組通知部に通知させないように設定することが好ましい。なおこの番組通知装置が組み込まれたラジオ受信機で番組を聞いている時の上記通知は音声により行うものなどとして構成すれば良い。なお前記受信部や前記検索部で複数のコミュニケーションサービスに接続してこれ等を横断的に検索するように構成しても良い。【００１５】  次に、前記番組通知部が、前記番組がある旨の通知を行う際に併せて前記キーワードをまたはマッチングを生じた前記メッセージを通知するものとしても良い。上記通知があったらチャンネルを変えると言うのがこの発明の使用法である。しかしながら登録したキーワードを忘れていたり、複数個のキーワードが登録してあり上記通知がどのキーワードに係るものであるかを知りたくなったり、上記通知があってもチャンネルを変えるには未だ動機が足りないと言うような場合では、件のキーワードや「投稿の記事内容」が分かると便利である。例えば人名でマッチングしたような場合は、実際にその人物が番組に登場していることが多いのであるが、その人物名が引き合いに出されただけなのかも知れない。この時「投稿の記事内容」を一瞥出来れば���ャンネルを変える判断の助けとなる。【００１６】  次に、更に前記メッセージを投稿するための投稿部または前記メッセージを閲覧するための閲覧部を備えているものとしても良い。投稿部を備えていない場合は上記メッセージを受信して検索に利用するだけとなるが、投稿部を備えるといま視聴中の番組で起きている事柄を上述のようなコミュニケーションサービスに投稿して他者に通知することが出来るようになる。また閲覧部を備えていなくともこの発明では問題はないのであるが、閲覧部を備えていると他者の投稿を閲覧することが出来るようになる。【００１７】  次に、更にテレビやラジオなどの放送受信装置を遠隔操作するリモコン部を備えると共に、前記番組通知部がタッチパネルディスプレイを備えてここに前記番組がある旨の通知を行う際に、視聴者が前記タッチパネルディスプレイを操作して前記通知を選択することによってリモコン部を動作させ、前記放送受信装置での前記番組の視聴が行えるようにするものとしても良い。番組を視聴中にこの発明の番組通知装置に上記通知があった際に、この番組通知装置の番組通知部のタッチパネルディスプレイ上で上記通知を選択することで、この番組に切り替える旨の指令をリモコン部から放送受信装置に送信することが可能になる。すなわちこの発明の番組通知装置を番組選択リモコンとして構成したり、放送受信装置に付属の番組選択リモコンにこの発明の番組通知装置が組み込まれているような場合に、上記通知から即座に番組切り替えを行うことが出来るようになるので便利である。なお切り替えたチャンネルから前のチャンネルに戻るためのスイッチを前記タッチパネルディスプレイ上に表示する構成も好ましい。【００１８】  次に、更にテレビやラジオなどの放送受信装置を備え、前記番組通知部は、前記番組がある旨の通知を前記放送受信装置に表示する際に、視聴者が前記通知を選択することによって前記放送受信装置での前記番組の視聴が行えるようにするものとしても良い。この放送受信装置で視聴している最中に番組通知部が上記通知をして来た時には、この通知を選択することで通知の番組に切り替えて視聴することが出来るので、切り替え視聴の操作が早く円滑である。前記通知を選択するとは、上述したようにチャンネル名、チャンネル番号、番組名などの表示や、番組表中の各番組内容の説明枠、番組を表すアイコン、別画面で行うその番組の放送表示、などにリモコンやマウスなどのポインティングデバイスのカーソルを合わせてチャンネル切り替えのスイッチ操作を行ったりすることを言う。この場合上記通知を最初からフォーカスされているように表示すれば、上記通知にカーソルを合わせる手間を省くことが出来る。また切り替えたチャンネルから前のチャンネルに戻るためのスイッチを表示する構成も好ましい。なお放送受信装置の画面をタッチパネルディスプレイで構成して、上記通知の選択などが指先で行えるようにすると便利である。【００１９】  上述のリモコン部を備えたものや、放送受信装置を備えたものに関して、更に視聴者によって前記通知が選択されたことを前記メッセージを送信して来た側に報告する選択報告部を備えているものとすることが出来る。このようにすることによりメッセージを��信した側では、上記通知通りに切り替え視聴が行われた回数を測定して上記通知の精度を高めるなどのサービス向上に努めることや、切り替え視聴に繋がる上記通知の原因となった投稿者に対して上記回数に基づくポイントを付与すると言った、これまでにないサービスが可能になる。前記通知を選択することに付いては上述した通りである。あるいは通知を選択するとは、上記通知上に例えば「お礼をする」と言ったボタンを表示しておき、これをポインティングデバイスのスイッチで押してもらうことを言う。「お礼をする」ボタンが押される都度、該当する投稿者のポイントを加算することになる。【００２０】  次に、前記番組通知部は、前記メッセージの中に将来の放送予定時間を有する番組に係る話題があり且つ前記マッチングを生じた場合には、前記通知を前記放送予定時間が近づくのを待って行うものとしても良い。現在放送中の番組に関しては直ぐに通知することが好ましく、将来放送予定の番組のことをいま知らせておくのも悪くはないが、後者に付いては番組が始まる頃に通知するものとすると予定を忘れられなくて良い場合が多い。予告に付いては、投稿者がキーワードにマッチングさせたいとするトピックに時間や放送チャンネルを指定するためのハッシュタグを付与し、これを番組通知部で解釈して適時適切に通知するように構成することが出来る。あるいは投稿者が正確な番組名を投稿に含めるようにして、これを番組通知部で番組表に照らし合わせて適時適切に通知するように構成することが可能である。【００２１】  さて、上記課題は、クライアントマシンから投稿された現在放送中の番組を話題とするメッセージを管理するマイクロブログや電子掲示板などのようなメッセージサーバであって、クライアントマシンからのキーワードを受信してアカウント毎に登録する登録部と、前記メッセージが投稿されたらこれを前記キーワードを以て検索する検索部と、検索の結果マッチングを生じた場合にはこのことを前記クライアントマシンに送信するのであるがこの際に前記メッセージが属する前記番組がある旨の通知を送信することを特徴とする番組通知部とを備えている、番組通知装置とすることにより達成される。これは上記「通知」の送信装置に関するものである。【００２２】  このサーバとしての番組通知装置は、キーワードをアカウント毎に登録部に登録しておき、いま放送中の番組内で起こっている事柄に関してほぼリアルタイムに続々と投稿されて来るメッセージの中に前記登録部に登録されているキーワードが含まれているか否かを前記検索部にて検索する処理を行う。そしてマッチングが発生したら、このことを直ちに番組通知部を以て上記キーワードの登録者のクライアントマシンに通知する。この通知は前記メッセージが索出されたことを知らせるためではなく、前記メッセージが属する前記番組があることを知ってもらうために行うものである。すなわち「投稿の記事内容」ではなくて上記「番組の存在」を通知するのである。なお検索の結果一つのキーワードに付いて同時に複数個の番組にマッチングを生ずる可能性があるが、上述したように全てを通知するようにしたり、一つの番組をランダムに選択して通知するようにすれば良い。【００２３】  なお前記登録部と検索部と番組通知部とから成る番組通知サーバと、前記メッセージサーバとを別体に構成することも可能である。また複数のメッセージサーバを備えて、検索部がこれ等を横断的に検索するように構成しても良い。あるいは自己の前記メッセージサーバのみならず他のコミュニケーションサービスに接続してこれ等を横断的に検索するように構成しても良い。また前記登録部に登録されている全てのキーワードを登録数の多い順に並び替えておいてこの順に検索するアルゴリズムを採用することが出来るし、投稿内容を例えば形態素解析してトピックを取り出し、検索部がトピックから全てのキーワードに当たるように設計しても良い。また検索処理はキーワードやトピックを綴りの一致として比較するだけでなく、獅子とライオンのような観念の上での一致を見るように構成しても良い。また綴りの誤りを自動補正した上で検索に掛けるような構成にしても良い。またメッセージは投稿される都度ではなく、メッセージの所定数が纏まるまで待って検索処理するように仕組むことが出来る。なおクライアントマシンから現在見ている番組に関しての情報を得て、これに付いての上記通知は番組通知部に通知しないようにする設計も可能である。【００２４】  次に、前記メッセージの中に将来の放送予定時間を有する番組に係る話題があり且つ前記マッチングを生じた場合には、前記番組通知部は前記通知を、前記放送予定時間が近づくのを待って行うものとしても良い。すでに受信装置で説明したように、上記メッセージにハッシュタグを用いたり、上記メッセージを番組表に照らし合わせるなどして上記通知を行うのである。この用途としては、例えばキーワードが有名人の名前であって、あるテレビ番組にその人物が登場したような場合に、この人物の登場を知らせる投稿を行うのであるが、この投稿にこの人物が将来出演する予定の他の番組のことをハッシュタグを用いて記載する、と言うものを上げる。【００２５】  次に、更に前記メッセージを投稿するための投稿部を具えているものとすることが出来る。サーバとしての番組通知装置が投稿部を備えていると、視聴中の番組で起きている事柄をサーバ運用者側から上記キーワードの登録者のクライアントマシンに、その番組を見てもらいなどとして通知することが出来る。また全てのクライアントに通知するような設定も可能である。なお上記メッセージの作成から投稿までをサーバ運用者が入力装置を用いて行うのではなくて、ボット（ｂｏｔ）により機械的に行うようにすることも可能である。また機械的に行うのであれば、番組を構成するビデオフレームにタグやコメントを振っておき、これを投稿部が読み込み上記メッセージとして投稿するような構成も可能である。これはビデオオンデマンドの分野にこの発明を拡げるものとなる。【００２６】  次に、更に前記クライアントマシンから視聴者によって前記通知が選択された旨の報告を受け付けて前記通知に係る前記メッセージの投稿者のアカウントに前記選択の回数を積算して記録する選択回数積算部を備えているものとすることが出来る。これによって上記通知通りに切り替え視聴が行われた回数を測定したり、上述の「お礼をする」ボタンを設けたような場合ではボタンが押される回数を測定することによって、上記通知の精度を高めるなどのサービス向上に努めることや、切り替え視聴に繋がる上記通知の原因となった投稿者に対して上記回数に基づくポイントを付与することが出来るようになる。なおクライアントマシンからいま見ている番組に付いての報告を受け付けるようにして、このクライアントマシンのこの番組に関しては検索部がキーワード検索を行わないようにしたり、検索は行ってもこのクライアントマシンには送信しないように構成することが出来る。【００２７】  さてこの発明は、上述した通知の受信装置（クライアントマシン）と、通知の送信装置（メッセージサーバ）とをインターネットなどのネットワークで結んだ番組通知システムとして構成することが出来る。メッセージサーバは投稿されたメッセージを管理するマイクロブログや電子掲示板などのような処理を行うものである。そしてメッセージサーバでは、上記メッセージを、クライアントマシンから登録されたキーワードで検索した結果、マッチングを生じた場合にはこのことをクライアントマシンに送信するのであるがこの際に、メッセージが索出された旨の通知ではなくて、メッセージが属する前記番組がある旨の通知を送信する処理を行うのである。
【発明の効果】
【００２８】  この発明では、マイクロブログや電子掲示板などにいま放送中の番組内で起こっている事柄に関してほぼリアルタイムに投稿されるメッセージを活用して、このメッセージに別途登録された人名などのキーワードが関係しているか否かを調べて、関係している場合には、「メッセージそのもの」ではなくて、キーワードに係る人物などが「いま登場している番組がある」ことをすなわち「いまこのチャンネルでやっている」ことを、キーワードの登録者に直ちに通知するようにしている。この結果、キーワードの登録者は、積極的にマイクロブログや電子掲示板などに参加せずとも、テレビやラジオを視聴していない場合には急いでスイッチを入れて視聴することが出来るようになり、あるいは上記通知の番組とは異なる番組を視聴している場合には上記番組（裏番組）に切り替えて視聴することが出来るようになった。
【図面の簡単な説明】
【００２９】
【図１】  実施形態１の番組通知装置の説明図である。
【図２】  処理工程を表す説明図である。
【図３】  番組通知の生成処理の説明図である。
【図４】  番組通知の表示画面を表す説明図である。
【図５】  実施形態２の番組通知装置の説明図である。
【図６】  番組通知の表示画面を表す説明図である。
【図７】  実施形態３の番組通知装置の説明図である。
【図８】  処理工程を表す説明図である。
【図９】  実施形態４の番組通知システムの説明図である。
【図１０】  処理工程を表す説明図である。
【図１１】  実施形態５の処理工程を表す説明図である。
【図１２】  実施形態６のメッセージサーバの説明図である。
【図１３】  実施形態７のテレビリモコンの説明図である。
【図１４】  投稿画面の説明図である。
【図１５】  実施形態８のメッセージサーバの説明図である。
【図１６】  テレビ画面の説明図である。
【発明を実施するための形態】
【実施形態１】
【００３０】  この実施形態を図１乃至図４を用いて説明する。この番組通知装置部１００は携帯電話の一であるスマートフォン１にインストールした番組通知ソフトウェアによって実現されており、マイクロブログを運営するメッセージサーバ２とはインターネットを介して接続されている。キーワードの登録部１０１には図３でその一例を示したキーワード１０が登録される。メッセージの受信部１０２にはマイクロブログのメッセージ２１がメッセージサーバ２から送られて来る。検索部１０３はメッセージ２１の中に上記キーワード１０が含まれているか否かを検索し、番組通知部１０４はキーワード１０が含まれているメッセージ２１が属するチャンネル番号１１を、スマートフォン１の表示画面に通知表示１２として表示して視聴者に通知するものである。なおタイムライン２０や上記メッセージ２１は検索部１０３にて使用されるのみでスマートフォン１の表示画面に表示されることはなく、目的とする表示はチャンネル番号１１である。
【００３１】  図２に示すようにメッセージの受信部１０２がメッセージサーバ２からメッセージ２１を受信し（ステップＳ１）、受信の都度キーワードの登録部１０１に登録されているキーワード１０を以て検索し（ステップＳ２）、マッチングした場合には上記メッセージ２１が属しているチャンネル番号１１に関連付けられたイメージを通知表示１２としてスマートフォン１の表示画面に表示する（ステップＳ３）。この際に併せてマッチングに係わるキーワード表示１３と、現在時刻表示１４とを表示する。
【００３２】  この番組通知装置部１００はテレビ受像機とそのリモコンと共に使用される。番組通知装置部１００に通知表示１２が為されたらリモコンを操作して通知表示１２のチャンネルをＯＮにする。あるいはキーワード表示１３を参考にしてからリモコンを操作するのでも良い。現在時刻表示１４も気付きに役に立つ。なお通知表示１２は点滅表示などとすると目立ちやすい。この意味では通知表示１２に合わせてアラーム音を発生するように構成しても良い。
【実施形態２】
【００３３】  この実施形態を図５及び図６を用いて説明する。この番組通知装置部１０５はスマートフォン１にインストールした番組通知ソフトウェアによって実現されており、その構成の殆どを実施形態１に倣うが、更にテレビ受像機のリモコンをエミュレートするためのリモコン部１０９を備えている。閲覧部１０７はメッセージサーバ２から受信したメッセージ２１をスマートフォン１の表示画面にタイムライン２０で表示するためのものである。また投稿部１０８はメッセージサーバ２に宛ててメッセージを投稿するためのものである（投稿画面は省略する）。また番組通知部１０６には下記特徴がある。
【００３４】  この番組通知装置部１０５は、検索部１０３にキーワードのＡＮＤ検索を可能にしている。図６に示すように受信したメッセージ２１をキーワード１０を以て検索して、マッチングが生じた場合にはこの実施形態の番組通知部１０６は、キーワード１０が含まれている上記メッセージ２１が属しているチャンネル番号１１に関連付けられた番組説明を通知表示１６としてスマートフォン１の表示画面に表示する。通知表示１６はこのチャンネルのただいま放送中の番組の内容説明部分であり、これは上記番組通知部１０６がＷｅｂのテレビ番組表から取得したものを用いている。この際に併せて上記マッチングに係る投稿のメッセージ表示１５を表示する。ここでは人名○○○○がマッチングに係るキーワードとなっている。この他投稿部１０８を使用しての投稿画面に移動するための投稿ボタン表示１７、閲覧部１０７を使用しての閲覧画面に移動するための閲覧ボタン表示１８、これらの画面から通知表示１６に戻るための戻るボタン表示１９を表示する。
【００３５】  リモコン部１０９を備えた番組通知装置部１０５は、テレビ受像機と共に使用される。スマートフォン１の表示画面はタッチパネルに設定してあり、通知表示１６にワンタッチすると、番組通知部１０６はリモコン部１０９に上記メッセージ２１が属しているチャンネル番号１１を通知し、これに従ってリモコン部１０９がテレビ受像機に通知表示１６のチャンネルをＯＮにする指令を送る。なお一旦リモコンボタンの表示画面を表示させてから視聴者にチャンネル番号１１をタッチさせるように構成しても良い。この他、通知表示１６にワンタッチすると投稿画面に移動し、メッセージ表示１５にワンタッチすると閲覧画面に移動するような設計も可能である。メッセージの受信部１０２から閲覧部１０７にメッセージが送られる。また通知表示１６をなぞって繰ることで前回の通知表示との間を行き来できるようにする表示も設計可能である。
【実施形態３】
【００３６】  この実施形態を図７及び図８を用いて説明する。この番組通知装置部１１０はスマートフォン１にインストールした番組通知ソフトウェアによって実現されており、その構成の殆どを実施形態１，２に倣うが、リモコン部の代わりにチャンネル選択部１１２と、これによりチャンネル操作が可能なテレビ受像機としてのワンセグ放送受信部１１３とを備えている。この他、下記番組通知部１１１と通知選択報告部１１４とを備えている。
【００３７】  この番組通知装置部１１０は、図８に示すように、メッセージの受信部１０２がメッセージサーバ２からメッセージ２１を受信し（ステップＳ４）、受信の都度検索部１０３がキーワードの登録部１０１に登録されているキーワード１０を以て検索し（ステップＳ５）、マッチングした場合には番組通知部１１１が上記メッセージ２１が属しているチャンネル番号１１に関連付けられたイメージを通知表示１２としてスマートフォン１の表示画面に表示する（ステップＳ８）のであるが、特に番組通知部１１１がステップＳ５に続いてマッチングしたメッセージ２１が将来の時間指定としての時刻表示２２を含んでいるか否かを調べ（ステップＳ６）、含んでいる場合には指定の時間が来るのを待ってから（ステップＳ７）、ステップＳ８を実行するものとして構成されている。時刻表示２２の形式はこの実施形態では＃ＴＴ：ＭＭ：ＳＳ（図示せず）とされているが、これをメッセージの一部に記載して投稿してもらうようにする。なおステップＳ４以下のステップは実施形態１のステップＳ３から続くものではなく独立した処理である。
【００３８】  番組通知部１１１は通知表示を行うが、この表示画面が例えば実施形態２のようにタッチパネルに設定してあれば視聴者が通知表示１６にワンタッチすると、番組通知部１１１は通知表示１６が選択されたとしてチャンネル選択部１１２に上記メッセージ２１が属しているチャンネル番号１１を通知するので、これに従ってチャンネル選択部１１２がワンセグ放送受信部１１３に通知表示１６のチャンネルをＯＮにする指令を送る、またはワンセグ放送受信部１１３の電源スイッチがＯＦＦであればこれをＯＮにすると共に通知表示１６のチャンネルをＯＮにする指令を送る。このことは通知表示１６のチャンネルに切り替えたことを意味し、その旨がチャンネル選択部１１２から通知選択報告部１１４に伝えられて、ここからメッセージサーバに送信される。
【実施形態４】
【００３９】  この実施形態を図９及び図１０を用いて説明する。この実施形態の番組通知システムはマイクロブログを運営するメッセージサーバ４と、携帯電話の一であるスマートフォン３にインストールした番組通知ソフトウェアによって実現された番組通知装置部３００とがインターネットなどのネットワークを介して接続されることにより構成される。メッセージサーバ４は、マイクロブログ管理部４００と番組通知装置部４０１とから成る。実施形態１のメッセージサーバ２では、タイムライン２０を、テレビ放送中の全てのチャンネルに付いて個別のログとして管理している例を取り上げている。これに対してこの実施形態４のマイクロブログ管理部４００では、全てのチャンネルへの投稿を一つのログとして管理し、チャンネル毎にハッシュタグのような分別タグを振ることで、実質的にチャンネル毎のログとして見せると言う例を取り上げる。
【００４０】  番組通知装置部４０１のキーワードの登録部４０２は、クライアントマシンである番組通知装置部３００のキーワードの送信部３０１から送信されたキーワードを受信してこれをアカウント毎に登録し、登録数の多いキーワードの順にキーワードに上記アカウントに対応させたインデックス（図示せず）を作成するものである。メッセージの受信部４０３は、番組通知装置部３００の投稿部３０２で投稿されたマイクロブログのメッセージを受信するものである。検索部４０４は受信したメッセージを形態素解析して一つまたは幾つかのトピックを生成し、各々のトピックで上記インデックスを当たって上記キーワードとのマッチングを調べるものである。番組通知部４０５は、トピックとマッチングしたキーワードの登録者の番組通知装置部３００の番組通知の受信部３０３に対して、上記メッセージが属するチャンネル番号を送信するものである。番組通知装置部３００の通知表示部３０４は、受信部３０３で受信したチャンネル番号をスマートフォン３の表示画面に通知表示３０として表示するものである。なおこの番組通知システムで特徴的なことは、スマートフォン３の表示画面に表示させたい必須の表示は「番組の存在」を示すチャンネル番号であって、「投稿の記事内容」ではないことである。上記メッセージは検索部４０４にて使用されるのが主目的なのである。
【００４１】  図１０に示すように、番組通知装置部４０１では、メッセージの受信部４０３が投稿部３０２から送られて来たメッセージを受信し（ステップＳ９）、受信の都度検索部４０４にて、このメッセージとキーワードの登録部４０２に登録しておいたキーワードとを突き合わせてマッチングするか否かを調べ（ステップＳ１０）、マッチングした場合には上記メッセージが属しているチャンネル番号を上記キーワードと共に通知すべく、番号通知部４０５から番組通知の受信部３０３に送信する（ステップＳ１１）。通知表示部３０４では、受信したチャンネル番号に関連付けられたイメージを通知表示３０としてスマートフォン３の表示画面に表示するが、この際に併せてマッチングに係わるキーワード表示３１を表示する。
【００４２】  この番組通知装置部３００はテレビ受像機とそのリモコンと共に使用される。番組通知装置部３００に通知表示３０が為されたらリモコンを操作して通知表示３０のチャンネルをＯＮにする。あるいはキーワード表示３１を参考にしてからリモコンを操作するのでも良い。この他上述した実施形態１の番組通知装置部１００が参考になる。なおメッセージサーバ４では不適切な投稿をブロックしたり、視聴者が不適切な投稿者を番組通知装置部３００を介してキックアウトし得るような機能を備えるようにしても良い。
【実施形態５】
【００４３】  この実施形態を図１１を用いて説明する。この実施形態は実施形態４の番組通知装置部４０１の番組通知部４０５での処理工程に改変を加えたものに関する。すなわちメッセージの受信部４０３がメッセージを受信し（ステップＳ１２）、受信の都度検索部４０４にてこのメッセージとキーワードの登録部４０２に登録しておいたキーワードとを突き合わせてマッチングするか否かを調べ（ステップＳ１３）、マッチングした場合には上記メッセージが属しているチャンネル番号を上記キーワードと共に通知すべく番組通知部４０５から番組通知の受信部３０３に送信する（ステップＳ１６）のであるが、ステップＳ１３に続けて、マッチングしたメッセージが将来の時間指定としての時刻表示を含んでいるか否かを番組通知部４０５が調べ（ステップＳ１４）、含んでいる場合には指定の時間が来るのを待ってから（ステップＳ１５）、ステップＳ１６を実行するものとして構成されている。時刻表示の形式はこの実施形態では＃ＴＴ：ＭＭ：ＳＳとされているが、これをメッセージの一部に記載するのである（図示せず）。
【実施形態６】
【００４４】  この実施形態を図１２を用いて説明する。このメッセージサーバはマイクロブログ管理部４００と番組通知装置部４０６とに加えて、投稿部４０７を備えている点に特徴を有する。メッセージサーバが投稿部４０７を備えていると、視聴中の番組で起きている事柄をサーバ運用者側からキーワードの登録者のクライアントマシンに、その番組を見てもらいなどとして通知することが出来る。また全てのクライアントに通知するような設定も可能である。このことは上述した通りである。
【００４５】  さて実施形態３では、クライアントマシンの番組通知部で通知表示が行われ、この結果視聴者が通知表示のチャンネルに切り替えたならば、その旨が通知選択報告部からメッセージサーバに送信されることを説明した。そこで実施形態６の番組通知装置部４０６は、通知選択報告受信部４０８にて上記通知が選択された旨の報告を受信し、選択回数積算部４０９が上記通知に係るメッセージの投稿者のアカウントに上記選択の回数を積算して記録するようにしている。これによって上記通知通りに切り替え視聴が行われた回数を測定したり、上述の「お礼をする」ボタンを設けたような場合ではボタンが押される回数を測定することによって、上記通知の精度を高めるなどのサービス向上に努めることや、切り替え視聴に繋がる上記通知の原因となった投稿者に対して、上記回数に基づくポイントを付与することが出来るようになる。
【実施形態７】
【００４６】  この実施形態を図１３及び図１４を用いて説明する。この実施形態は番組通知システムのメッセージサーバのクライアントマシンであるテレビリモコン５に関する。このテレビリモコン５はリモコン部５００と番号通知装置部５０１とから成る。リモコン部５００は赤外線通信機能を備えており、電源ボタンやチャンネルボタンやポインティングデバイス操作ボタンが操作されると、それに対応するデータコードをカスタムコードと共にテレビ受像機に送信する。
【００４７】  番組通知装置部５０１のキーワードの送信部５０２は、視聴者が設定したキーワードを実施形態４で説明したようなメッセージサーバのキーワードの登録部に送信するものである。メッセージの受信部５０３は実施形態２で説明したようなメッセージサーバから受信したメッセージを閲覧部５０４に送り、閲覧部５０４はこのメッセージをテレビリモコン５の表示画面にタイムラインで表示するものである。また投稿部５０５は実施形態４で説明したようなメッセージサーバのメッセージの受信部に宛ててメッセージを投稿するものである。すなわち投稿部５０５は、図１４で示すように上記表示画面に投稿表示５３を表示する。ここにはいま見ている番組の番組タイトル表示５４と、投稿用のメッセージ記入部５５と、投稿を実行するための送信ボタン５６とが表示される。また実施形態４で説明したようなメッセージサーバの番組通知部がチャンネル番号を送信して来るのでこれを番組通知の受信部５０６で受信し、この番組通知に関連付けられた番組説明を通知表示５０として通知表示部５０７がテレビリモコン５の表示画面に表示する。通知表示５０はこのチャンネルのただいま放送中の番組の内容説明部分であり、これは上記番組通知の受信部５０６がＷｅｂのテレビ番組表から取得したものを用いている。この際に新しい通知表示５０をこれに先立つ古い通知表示５２の右隣に、また新しい通知表示５０に係わるメッセージ表示５１を、通知表示５０，５２の下側にタイル表示する。また新しい通知表示５０を古い通知表示５２よりも目立つように明るく表示する。なおテレビリモコン５のチャンネルボタンなどが視聴者に操作されて視聴されている番組の内容説明部分を常に古い通知表示５２とする設計も可能である。古い通知表示５２は新しい通知表示５０が書き変わっても変わらないために、チャンネルを通知表示５０に従って変えたとしても元々見ていた番組に戻りやすい。
【００４８】  上記通知表示部５０７は通知表示を行うが、この表示画面が例えば実施形態２のようにタッチパネルに設定してあれば視聴者が通知表示５０にワンタッチすることで通知表示部５０７は通知表示５０が選択されたとしてリモコン部５００に上記通知表示５０が属しているチャンネル番号を通知してチャンネルの切り替えを要求するので、これに従ってリモコン部５００がテレビ受像機に通知表示５０のチャンネルをＯＮにする指令を送る。このチャンネルが切り替えられたことは通知表示部５０７から通知選択報告部５０８に伝えられて、ここからメッセージサーバに送信される。これをメッセージサーバは、実施形態６で説明したような通知選択報告受信部４０８で受信し、選択回数積算部４０９で上記通知に係るメッセージの投稿者のアカウントに上記選択の回数を積算して記録する。
【実施形態８】
【００４９】  この実施形態を図１５及び図１６を用いて説明する。テレビ受像機６がこの発明の番組通知装置部６０１を備えている点に特徴を有する。番組通知装置部６０１のキーワードの送信部６０２は、視聴者が設定したキーワードを実施形態４で説明したようなメッセージサーバのキーワードの登録部に送信するものである。メッセージの受信部６０３は実施形態２で説明したようなメッセージサーバから受信したメッセージを閲覧部６０４に送り、閲覧部６０４はこのメッセージをテレビ画面のスレッド閲覧部６３にタイムライン２０で表示するものである。また投稿部６０５は実施形態４で説明したようなメッセージサーバのメッセージの受信部に宛ててメッセージを投稿するものである。すなわち投稿部６０５は、図１６で示すようにテレビ画面にメッセージ記入部６４を表示する。スレッド閲覧部６３が表示される場合には、これと共にメッセージ記入部６４を表示するようにしても良い。次に実施形態４で説明したようなメッセージサーバの番組通知部がチャンネル番号を送信して来るので、これを番組通知の受信部６０６で受信して通知表示部６０７に引き渡す。この通知表示部６０７が通知表示を行うに際して、テレビ受像機６のリモコン通信部・制御部６００に対し、テレビ受像機６の電源スイッチがＯＦＦであればこれをＯＮにすると共に通知表示のチャンネルをＯＮにする指令を送る、またはすでに視聴中であれば通知表示部６０７の通知に従って通知表示のチャンネルをＯＮにする指令を送る。
【００５０】  上記チャンネルがＯＮにされたり、上記チャンネルに切り替えられたことは通知表示部６０７から通知選択報告部６０８に伝えられて、メッセージサーバに送信される。これをメッセージサーバは、実施形態６で説明したような通知選択報告受信部４０８で受信し、選択回数積算部４０９にて上記通知に係るメッセージの投稿者のアカウントに上記選択の回数を積算して記録する。
【００５１】  さて図１６でテレビ画面を示すが、通常は最大化したテレビ画面６０を表示する。通知表示部６０７が通知表示を行う際には上記テレビ画面６０に重ねて通知表示６１を表示するのであるが、この通知表示６１はこれに係る番組の放送を小さな別画面として表示し、また新しく通知表示がなされると、これまでの通知表示６１を左方に移動させて通知表示６２として表示する。またこれ等の通知表示６１，６２をテレビリモコンで選択したり、通知表示６１，６２に該当するリモコンボタンをＯＮにすることにより、新たなテレビ画面６０として最大化表示することが出来るように構成されている。なお閲覧や投稿を行う際には、最大化表示されているテレビ画面６０をスレッド閲覧部６３を避けるべく縮小したテレビ画面６５として表示しても良い。通知表示６１では小さな画面で裏番組が表示されるが、これを見れば裏番組内で起こっている事柄の見当が付け易い。
【産業上の利用可能性】
【００５２】  ネットサーフィンなる言葉があるが、この発明は番組サーフィンに道を拓くものであると言うことが出来る。一つの番組を通して視聴するのも良いが、興味ある部分をモザイク的に見る方が現代の忙しいライフスタイルに合致しているとも言える。この発明はラジオ放送などにも適用可能である。
【符号の説明】
【００５３】１０：キーワード  １１：チャンネル番号  １２：通知表示  １６：通知表示
１７：投稿ボタン表示  １８：閲覧ボタン表示
１００：番号通知装置部  １０１：キーワードの登録部  １０２：メッセージの受信部
１０３：検索部  １０４：番組通知部  １０５：番号通知装置部  １０６：番組通知部
１０７：閲覧部  １０８：投稿部  １０９：リモコン部  １１０：番号通知装置部
１１１：番組通知部  １１２：チャンネル選択部  １１３：ワンセグ放送受信部
１１４：通知選択報告部
２：メッセージサーバ  ２０：タイムライン  ２１：メッセージ  ２２：時刻表示
３０：通知表示
３００：番号通知装置部  ３０１：キーワードの送信部  ３０２：投稿部
３０３：番号通知の受信部  ３０４：通知表示部
４：メッセージサーバ
４００：マイクロブログ管理部  ４０１：番号通知装置部
４０２：キーワードの登録部  ４０３：メッセージの受信部  ４０４：検索部
４０５：番号通知部  ４０６：番号通知装置部  ４０７：投稿部
４０８：通知選択報告受信部  ４０９：選択回数積算部
５：テレビリモコン  ５０：通知表示  ５１：メッセージ表示  ５２：通知表示
５３：投稿表示  ５４：番組タイトル表示  ５５：メッセージ記入部
５６：送信ボタン
５００：リモコン部  ５０１：番号通知装置部  ５０２：キーワードの送信部
５０３：メッセージの受信部  ５０４：閲覧部  ５０５：投稿部
５０６：番組通知の受信部  ５０７：通知表示部  ５０８：通知選択報告部
６：テレビ受像機  ６０：テレビ画面  ６１：通知表示用のテレビ画面
６２：通知表示用のテレビ画面  ６３：スレッド閲覧部  ６４：メッセージ記入部
６５：テレビ画面
６００：リモコン通信・テレビ制御部  ６０１：番号通知装置部
６０２：キーワードの送信部  ６０３：メッセージの受信部  ６０４：閲覧部
６０５：投稿部  ６０６：番組通知の受信部  ６０７：通知表示部
６０８：通知選択報告部
【図１】
2012191594.tif 000003
【図２】
2012191594.tif 000004
【図３】
2012191594.tif 000005
【図４】
2012191594.tif 000006
【図５】
2012191594.tif 000007
【図６】
2012191594.tif 000008
【図７】
2012191594.tif 000009
【図８】
2012191594.tif 000010
【図９】
2012191594.tif 000011
【図１０】
2012191594.tif 000012
【図１１】
2012191594.tif 000013
【図１２】
2012191594.tif 000014
【図１３】
2012191594.tif 000015
【図１４】
2012191594.tif 000016
【図１５】
2012191594.tif 000017
【図１６】
2012191594.tif 000018